【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
導電性電極基材を含む電極表面上に導電性ポリマーコーティングを形成すること、及び
導電性ポリマーコーティングをエッチングして、前記導電性ポリマーと露出した前記導電性電極基材を含む電極表面上にマイクロ−パターンを形成すること
を含む、埋め込み可能な電極の製造方法。
【請求項２】
導電性ポリマーコーティングを形成することが、ポリピロール、ポリエチレングリコール、ポリ（ピロール）、ポリ（ナフタレン）、ポリ(チオフェン)、PEDOT、Nafion、ポリ(エチレン)オキサイドまたはこれらの組み合わせから選択される一種又は一種以上を更に蒸着させることをさらに含む、請求項１記載の方法。
【請求項３】
導電性ポリマーコーティングをエッチングすることが、レーザーで前記導電性ポリマーをエッチングすることをさらに含む、請求項１記載の方法。
【請求項４】
導電性ポリマーコーティングを形成することが、浸漬塗布、ブラシ塗布、ドロップ塗布、電気化学的蒸着、電気スピニング、スパッタリング、又は双極電着の一つ又はそれ以上を使用して前記導電性電極表面上に前記導電性ポリマーを蒸着させることをさらに含む、請求項１記載の方法。
【請求項５】
導電性ポリマーコーティングを形成することが、物理蒸着により導電性ポリマーコーティングを形成することをさらに含む、請求項１記載の方法。
【請求項６】
薬物を導電性ポリマーコーティングの中に又は上にロードすることをさらに含む、請求項１記載の方法。
【請求項７】
導電性ポリマーコーティングの上に分解性コーティグを適用することをさらに含む、請求項１記載の方法。
【請求項８】
前記導電性ポリマー層をマイクロパターニングすることが、前記ポリマー層に複数の個別の穴を開けてパターンを形成することをさらに含む、請求項１記載の方法。
【請求項９】
前記ポリマー層をマイクロパターニングすることが、前記導電性ポリマー層のストリップを除去してパターンを形成することをさらに含む、請求項１記載の方法。
【請求項１０】
前記導電性ポリマーが、ポリピロールを含む、請求項１記載の方法。
【請求項１１】
導電性ポリマーコーティングを形成するのに先立って、導電性金属基材上にキャパシティブコーティングを沈着させることをさらに含む、請求項１記載の方法。
【請求項１２】
近位端と遠心端を有する導電体；
前記導電体をカバーする絶縁性シース；
前記導電体の近位端に接続する電気コネクター；及び
前記導電体の遠心端に接続する導電性電極基材を有する電極を有する心臓ペースメーカーに使用される埋め込み可能なリードであって、
前記電極が前記導電性電極基材上に蒸着された導電性ポリマー層を含み、前記ポリマー層が、導電性ポリマー及び露出した導電性電極基材を有するマイクロパターンを有することを特徴とする、前記リード。
【請求項１３】
前記マイクロパターンが、複数の個別の穴を有する、請求項１２記載のリード。
【請求項１４】
前記マイクロパターンが、複数の導電性ポリマーのストリップを有する、請求項１２記載のリード。
【請求項１５】
前記導電性ポリマーが、ポリピロールを含む、請求項１２記載のリード。
【手続補正２】
【補正対象書類名】明細書
【補正対象項目名】００３９
【補正方法】変更
【補正の内容】
【００３９】
実施例２
第２の実施態様においては、電極をポリプロールでパターン被覆した。ポリピロールは導電性ポリマーである。ポリピロールの適用は、ＫＣｌドーパントを０．１Ｍで含有する溶液にピロールを０．１Ｍの溶液になるように溶解させ、ピロールを、この溶液に浸漬したプラチナイリジウムリング電極上に電気化学的に蒸着することによって実施した。コーティングは約５μｍの厚さで適用したが、更なる実施形態において、約２５μｍまで又は約２５μｍ以上であってもよい。その後、コーテイングをレーザーエッチングし、プラチナイリジウムリングを露出させて、図４に示されるパターンで穴40を形成した。更なる実施形態においては、ピロール溶液の濃度は要望に応じて変えることができ、例えば、．５Ｍまで又はそれ以上の濃度を用いてもよい。
パターン被覆リングを次に、サイクリック・ボルタンメトリー対酸化イリジウムコーティングで被覆したプラチナリングで試験した。図６に示されるように、酸化イリジウムで被覆したプラチナリングは比較的小さいトレース（trace）を有していた。ポリピロールコーティングが適用された際には、トレース（trace）は著しく改善されており、パターニングされていない場合でさえそうであったが、これは、センシング能力が顕著に改善されたことを反映している。しかし、図７に示されるように、パターニングされた後のポリピロールコーティングは更なる改善を明らかにした。従って、パターニングされる最適化された導電性コーティングは電極のセンス能力を改善する。
本発明の範囲から逸脱することなく、種々の変更及び付加を上記の例示的な実施態様に加えることができる。例えば、上記の実施態様が特定の特性について言及する一方で、本発明の範囲はまた、特性の種々の組み合わせを有する実施態様並びに上記の特性の全てを含まない実施態様をも包含しうる。従って、本発明の範囲は、特許請求の範囲に含まれる全てのそのような代替物、改良物及び変形物、並びにそれらのあらゆる均等物をも包含することを意図する。
次に、本発明の態様を示す。
１．導電性金属基材上にポリマー層を形成すること、及び
ポリマー層をパターニングして、露出した前記金属基材とともにポリマーを含む電極表面を形成することを含む、埋め込み可能な電極の製造方法。
２．ポリマー層を形成することが、導電性金属基材上に導電性ポリマー、非導電性ポリマー又はそれらの組み合わせから選択される一種を蒸着させることを含む、１記載の方法。
３．導電性ポリマーを蒸着させることが、ポリピロール、ポリエチレングリコール、ポリ（ピロール）、ポリ（ナフタレン）、ポリ(チオフェン)、PEDOT、Nafion、ポリ(エチレン)オキサイドまたはこれらの組み合わせから選択される一種又は一種以上を更に蒸着させることをさらに含む、２記載の方法。
４．導電性ポリマーを蒸着させることが、ペリレンを蒸着させることをさらに含む、２記載の方法。
５．導電性ポリマー層を形成することが、プラチナ、チタン、プラチナ・イリジウム、イリジウムオキサイド、チタンニトリド、 チタンオキサイド、チタンオキシニトリド、チタンカーバイド、タンタルオキサイド、タンタルニトリド、タンタルオキシニトリド、プラチナ、チタン、タンタル及びこれらの組み合わせの一種または一種以上によって構成される金属基材の上に導電性ポリマーを蒸着させることを含む、１記載の方法。
６．導電性ポリマーをパターニングすることが、レーザーで前記ポリマーをパターニングすることをさらに含む、１記載の方法。
７．導電性ポリマーをパターニングすることが、化学物質で前記ポリマーをパターニングすることをさらに含む、１記載の方法。
８．ポリマー層上にマスクを置くことをさらに含む、１記載の方法。
９．ポリマー層上にマイクロパターンを形成することをさらに含む、１記載の方法。
１０．ポリマー層を形成することが、浸漬塗布、ブラシ塗布、ドロップ塗布、電気化学的蒸着、電気スピニング、スパッタリング、又は電着から選択される一つ又はそれ以上を使用して前記ポリマーを蒸着させることをさらに含む、１記載の方法。
１１．ポリマー層を形成することが、物理蒸着により層を形成することをさらに含む、１記載の方法。
１２．薬物をポリマーコーティングの中に又は上にロードすることをさらに含む、１記載の方法。
１３．キャパシティブコーティングで前記表面を被覆した後に分解性コーティグを適用することをさらに含む、１記載の方法。
１４．前記ポリマー層をパターニングすることが、前記ポリマー層に穴を開けることをさらに含む、１記載の方法。
１５．前記ポリマー層をパターニングすることが、前記ポリマーのストリップを除去することをさらに含む、１記載の方法。
１６．埋め込み可能な電極であって、
導電性電極基材；及び
前記基材上に設置されるパターニングされたポリマーコーティグを含み、それによって該電極のインピーダンスが上昇される、
前記埋め込み可能な電極。
１７．パターニングされたコーティングが、パターニングされたポリマーと露出した電極基材とをさらに含む、１４記載の埋め込み可能な電極。
１８．パターニングされたポリマーが、導電性ポリマーをさらに含む、１５記載の埋め込み可能な電極。
１９．パターニングされたポリマーが、絶縁性ポリマーをさらに含む、１５記載の埋め込み可能な電極。
２０．近位端と遠心端を有する導電体；
前記導電体をカバーする絶縁性シース；
前記導電体の近位端に接続する電気コネクター；及び
前記導電体の遠心端に接続する電気コネクター
を有する心臓ペースメーカーに使用される埋め込み可能なリードであって、前記電極がその表面に置かれたポリマーを含み、前記ポリマーが所望のパターンにパターニングされることを特徴とする、前記リード。